(57)【要約】【課題】被写体の撮影を行なう撮像部と、被写体を変倍可能なズーム部と、ズーム部のズーム倍率の変更を指示する操作部と、撮像装置の振れを検出する振れ検出手段とを有し、操作部によりズーム倍率の変更が行なわれる際にズーム倍率の変更速度を、振れ検出手段によって検出された振れ量により変更する撮像装置を提供する。【解決手段】撮影者により、ズーム操作部でズーム操作が行なわれたか否かを判断する。撮影者によるズーム操作部の押下が検出された際に、揺れ検出手段のデータ入力を行う。データ入力後、揺れ量が所定の闘値を越えたか否かを判定される。データカメラの振れ量が所定の闘値を越えた場合、ズーム動作を高速にする。振れ量が小さい時は、ズーム動作を低速にする。【選択図】図３
2008211401.tif 000002
【特許請求の範囲】
【請求項１】
被写体の撮影を行なう撮像部と、
前記被写体を変倍可能なズーム部と、
前記ズーム部のズーム倍率の変更を指示する操作部と、
撮像装置の振れを検出する振れ検出手段と、
前記操作部により前記ズーム倍率の変更が行なわれる際に前記ズーム倍率の変更速度を、前記振れ検出手段によって検出された振れ量により、変更する変更手段とを有することを特徴とする撮像装置。
【請求項２】
前記検出手段で検出する前記振れ量の所定の闘値を設け、前記変更手段は、検出された前記振れ量が前記所定の闘値を超えた際に前記変更を行うことを特徴とする請求項１に記載の撮像装置。
【請求項３】
前記ズーム部は、光学的に変倍を行なう光学ズームであることを特徴とする請求項１記載の撮像装置。
【請求項４】
前記ズーム部は、信号処理により変倍を行なうデジタルズームであることを特徴とする請求項１記載の撮像装置。
【請求項５】
前記振れ検出手段は、手振れ補正装置の手振れ検出部であることを特徴とする請求項１から４のいずれか１項に記載の撮像装置。
【請求項６】
前記変更手段で行う変更をスイッチＯＮ／ＯＦＦできる切替手段をさらに有することを特徴とする請求項１から５のいずれか１項に記載の撮像装置。
【発明の詳細な説明】
【技術分野】
【０００１】
本発明は、ズーム倍率の変更速度を変化させる撮像装置に関する。
【背景技術】
【０００２】
デジタルカメラのような撮像装置においては、ズーム機能を有し、ズーム操作スイッチをテレ側、あるいはワイド側と操作することでズーム倍率を変更できるようになっている。
【０００３】
また、近年、ズーム倍率が高倍率化した者が商品化されている。しかし、ズーム倍率が高倍率化したことで、ワイド端からテレ端までズーム倍率を変更するのに時間がかかってシャッターチャンスを逃すということが発生する。これを防ぐために、ズーム倍率の変更する速度を上げることで、ワイド端からテレ端までズーム倍率を変更する時間を短縮する方法があるが、この場合は、撮影者が任意のズーム倍率に設定しようとした場合、ズーム倍率の変更する速度が早いために通り過ぎてしまい、意図するズーム倍率に設定することが難しいと言う問題が発生する。
【０００４】
上記の問題を解決するために、特許文献１で提案されているように、ズーム操作スイッチをポテンショ等にて構成し、スイッチの操作量に応じて出力が変化するようにし、スイッチの操作量が小さい時はズーム倍率の変更する速度を遅くし、スイッチの操作量が大きい時はズーム倍率の変更する速度を早くしたり、特許文献２で提案されているように、スイッチを２段スイッチとすることで、１段目のスイッチのみＯＮしたときはズーム倍率の変更する速度を遅くし、２段目のスイッチまでＯＮしたときズーム倍率の変更する速度を早くするとした撮像装置が商品化されている。
【０００５】
あるいは、特許文献３や特許文献４のように、ズーム操作スイッチの操作方法によって、ズーム倍率の変更する速度を変化させると言ったものが提案されている。
【特許文献１】特開平５−１０７４４２号公報
【特許文献２】特許第２５０３８２３号公報
【特許文献３】特開平６−３５７２号公報
【特許文献４】特開２００３−２７９８３３号公報
【発明の開示】
【発明が解決しようとする課題】
【０００６】
しかし、ズーム操作スイッチの操作量に応じて出力が変わるようにしたり、２段スイッチにすると機械的構成が複雑となり、部品コストの上昇を招くと言った問題が有る。また、ズーム操作スイッチの操作方法によって、ズーム倍率の変更する速度を変化させる場合、操作が複雑となるといった問題が有る。
【０００７】
そこで、本発明は、上述した事情に鑑みてなされたもので、ズーム機能と振れ検出手段を有する撮像装置において、撮影者の意図したズーム位置に設定しやすくする撮像装置を提供することを目的としている。
【課題を解決するための手段】
【０００８】
上記の目的を達成するため、請求項１に記載の発明は、被写体の撮影を行なう撮像部と、前記被写体を変倍可能なズーム部と、前記ズーム部のズーム倍率の変更を指示する操作部と、撮像装置の振れを検出する振れ検出手段と、前記操作部により前記ズーム倍率の変更が行なわれる際に前記ズーム倍率の変更速度を、前記振れ検出手段によって検出された振れ量により、変更する変更手段とを有する撮像装置であることを特徴とする。
【０００９】
請求項２に記載の発明は、請求項１に記載の撮像装置において、前記検出手段で検出する前記振れ量の所定の闘値を設け、前記変更手段は、検出された前記振れ量が前記所定の闘値を超えた際に前記変更を行うことを特徴とする。
【００１０】
請求項３に記載の発明は、請求項１に記載の撮像装置において、前記ズーム部は、光学的に変倍を行なう光学ズームであることを特徴とする。
【００１１】
請求項４に記載の発明は、請求項１に記載の撮像装置において、前記ズーム部は、信号処理により変倍を行なうデジタルズームであることを特徴とする。
【００１２】
請求項５に記載の発明は、請求項１から４のいずれか１項に記載の撮像装置において、前記振れ検出手段は、手振れ補正装置の手振れ検出部であることを特徴とする。
【００１３】
請求項６に記載の発明は、請求項１から５のいずれか１項に記載の撮像装置において、前記変更手段で行う変更をスイッチＯＮ／ＯＦＦできる切替手段をさらに有することを特徴とする。
【発明の効果】
【００１４】
本発明によれば、操作部によりズーム倍率の変更が行なわれる際にズーム倍率の変更速度を、振れ検出手段によって検出された振れ量により、変更する撮像装置を提供することが可能となる。
【発明を実施するための最良の形態】
【００１５】
本発明を実施するための好適な実施の形態について説明する。
【００１６】
本実施形態の撮像装置について図１、図２を用いて説明する。図１は、本実施形態の撮像装置の概観図である。（ａ）は、前から見た概観図であり、（ｂ）は、側面から見た概観図であり、（ｃ）は、後ろから見た概観図である。図２は、本実施形態の撮像装置の構成を示すブロック図である。
【００１７】
図２に示すように、本実施形態の撮像装置で撮像する画像は、レンズ１によりＣＣＤ２面に結像され、ＣＣＤにて画像データが電気データに変換される。電気データは、Ｆ／Ｅ３（フロントエンド：ＣＣＤの信号処理）にてＡＤ変換され、ＤＳＰ４にて信号処理される。ＣＣＤは、ＴＧ５のクロックによりＤＳＰと同期を取るように駆動される。
【００１８】
ＳＤＲＡＭ６は、ＣＣＤ出力のＡＤ変換されたＲａｗデータや信号処理されたデータをＲｅａｄ／Ｗｒｉｔｅするのに使用され、ＥＥＰＲＯＭ７は、調整値等のデータを保存しておくのに使用される。また、メモリカード８は、撮影された画像の保存するのに使用される。ＬＣＤ９は、撮像しようとする画像の表示やメモリカード８に記録してある画像の表示に使用される。また、ＤＳＰ４は、ＡＦ、ＡＥ、ホワイトバランス等の評価値（ＡＦの場合は、例えば画像の周波数成分毎の積算値等）を生成し、その演算を行ない、合わせて、モータ１１を制御する機能を持つ。
【００１９】
また、制御部は、ＤＳＰ４、Ｆ／Ｅ他に対してパラメータを設定する機能と、撮影者からの操作である操作スイッチ１２からの入力を処理する機能と、撮影時の明るさが不足するときにストロボ部１３を制御する機能と、音声をマイク１４で録音し、スピーカ１５で再生する音声処理部１６を制御する機能を持つ。また、電源１７（一般的には電池であるがＡＣアダプターを使用することもある）からＤＣ−ＤＣ１８を介して各システムに必要な電圧に変換され供給される。また、振れ検出部１９によって検出された振れをＤＳＰで処理する構成となっている。
【００２０】
図１に示すレンズを被写体に向けて、撮影者がＬＣＤを見ながら撮影する構図を決めるためにズーム操作スイッチ１２を操作する場合を考える。撮影者が、大まかな構図を決めようとしている時は、カメラを左右・上下に動かしたりするため、振れ検出部から得られる振れ量は大きな値となり、また、こういった状態では撮影者にとってズーム動作は高速に動くほうが望ましい。そして、大まかな構図が決まり、撮影者が構図の細かな調整をしたいとしている時は、撮影者は極力カメラが動かないようにするため、振れ検出部から得られる振れ量は小さな値となり、また、こういった状態では撮影者にとってズーム動作は低速に動作し、狙った倍率のところで止められるようになっているほうが望ましい。上述した本実施形態の撮像装置は、これに限定されるものではなく、逸脱しない範囲において、適用可能とする。本実施形態では、ズームを光学ズームまたはデジタルズームとして扱っている。
【００２１】
本実施形態の撮像装置のズーム動作の処理を図１、図３を用いて説明する。図３は、本実施形態の撮像装置の処理を示すフローチャートである。
【００２２】
図１に示す撮像装置において、撮影者により、ズーム操作部でズーム操作が行なわれたか否かを判断する（ステップＳ１０１）。撮影者によるズーム操作部の押下が検出された際に（ステップＳ１０１／ＹＥＳ）、揺れ検出手段のデータ入力を行う（ステップＳ１０２）。撮影者によるズーム操作部の押下が検出されない場合（ステップＳ１０１／ＮＯ）、次の処理に進まない。データ入力後、揺れ量が所定の闘値を越えたか否かを判定される（ステップＳ１０３）。データカメラの振れ量が所定の闘値を越えた場合（ステップＳ１０３／ＹＥＳ）、ズーム動作を高速にする（ステップＳ１０４）。振れ量が小さい時は、ズーム動作を低速にする（ステップＳ１０５）。
【００２３】
本実施形態によれば、高価な部品や、特別な操作方法を行なわなくても、状態に合わせた最適なズーム速度制御を行なうことができる。なお、ズーム速度はここで示したような、高速と低速の２値のみでなく、振れ量に従って線形にズーム速度を変化させてもよい。
【００２４】
本実施形態の撮像装置の第２の動作について図４を用いて説明する。図４は、本実施形態の撮像装置の第２の構成を示すブロック図である。
【００２５】
近年の撮像装置では手振れ補正機能が内蔵されたものが多く、商品化されている。図４に示す手振れ補正機能では、撮影時の手振れを手振れ検出部２０で検出、手振れ補正部２１でそれを打ち消すような動作をすることで、得られる画像の手振れを低減する効果がある。この手振れ検出部を先で説明した振れ検出部として使用することで同様の効果を得ることができる。
【００２６】
以上に説明したように、本発明はズーム機能と振れ検出手段を有する撮像装置において、次のような効果を得ることができる。
【００２７】
本実施形態によれば、振れ検出手段によって検出された振れ量により、ズーム倍率変更速度を変更することで、撮影者の意図したズーム位置に設定しやすくした撮像装置の提供を可能とする。
【００２８】
また、振れ検出手段によって検出された振れ量により、光学ズーム倍率変更速度を変更することで、撮影者の意図した光学ズーム位置に設定しやすくした撮像装置の提供を可能とする。
【００２９】
また、振れ検出手段によって検出された振れ量により、デジタルズーム倍率変更速度を変更することで、撮影者の意図したデジタルズーム位置に設定しやすくした撮像装置の提供を可能とする。
【００３０】
また、振れ検出手段によって検出された振れ量により、光学ズーム及びデジタルズーム倍率変更速度を変更することで、撮影者の意図した光学ズーム及びデジタルズーム位置に設定しやすくした撮像装置の提供を可能とする。
【００３１】
また、手振れ検出手段によって検出された振れ量により、ズーム倍率変更速度を変更することで、撮影者の意図したズーム位置に設定しやすくした撮像装置の提供を可能とする。
【００３２】
さらに、振れ検出手段によって検出された振れ量により、ズーム倍率変更速度を変更することをＯＮ／ＯＦＦできるようにし、必要に応じてズーム倍率変更速度を変更できるようにしたことで、撮影者の意図したズーム位置に設定しやすくした撮像装置の提供を可能とする。
【図面の簡単な説明】
【００３３】
【図１】本実施形態における撮像装置を示す概観図である。（ａ）は、前から見た概観図であり、（ｂ）は、側面から見た概観図であり、（ｃ）は、後ろから見た概観図である。
【図２】本実施形態における撮像装置の第１の構成を示すブロック図である。
【図３】本実施形態における撮像装置の処理を示すフローチャート図である。
【図４】本実施形態における撮像装置の第２の構成を示すブロック図である。
【符号の説明】
【００３４】
１    レンズ
２    ＣＣＤ
３    Ｆ／Ｅ
４    ＤＳＰ
５    ＴＧ
６    ＳＤＲＡＭ
７    ＥＥＰＲＯＭ
８    メモリカード
９    ＬＣＤ
１１    モータ
１２    操作スイッチ
１３    ストロボ部
１４    マイク
１５    スピーカ
１６    音声処理部
１７    電源部
１８    ＤＣ−ＤＣ
１９    振れ検出部
２０    手振れ検出部
２１    手振れ補正部
【図１】
2008211401.tif 000003
【図２】
2008211401.tif 000004
【図３】
2008211401.tif 000005
【図４】
2008211401.tif 000006